(57)【要約】【課題】光変調素子を効率良く冷却でき、該光変調素子で形成される光学像の劣化を防ぐことができる光学装置を提供すること。【解決手段】光源から射出された光束を画像情報に応じて変調して光学像を形成する光変調素子と、この光変調素子の画像形成領域に応じた開口を備え、この光変調素子を保持する保持枠とを備えた光変調装置を具備する光学装置は、光変調装置の光束入射側および／または光束射出側に、光変調装置の画像形成領域に応じた開口６２１Ａ，６２１Ｂが形成され、光変調素子を冷却する冷却媒体が封入される容器状の冷却媒体封入部６２１が設けられ、冷却媒体封入部６２１は、開口６２１Ａ，６２１Ｂを含む空間に冷却媒体を密閉封入する第１冷却室６２１１と、開口６２１Ａ，６２１Ｂを避けた位置に、第１冷却室６２１１とは区画して形成され、他の冷却媒体を冷却媒体封入部外部から導いて流通させる第２冷却室６２２Ａとを備える。【選択図】  図７
2005284138.tif 000002
【特許請求の範囲】
【請求項１】
光源から射出された光束を画像情報に応じて変調して光学像を形成する光変調素子と、この光変調素子の画像形成領域に応じた開口を備え、この光変調素子を保持する保持枠とを備えた光変調装置を具備する光学装置であって、
前記光変調装置の光束入射側および／または光束射出側には、該光変調装置の画像形成領域に応じた開口が形成され、前記光変調素子を冷却する冷却媒体が封入される容器状の冷却媒体封入部が設けられ、
この冷却媒体封入部は、前記開口を含む空間に前記冷却媒体を密閉封入する第１冷却室と、前記開口を避けた位置に、前記第１冷却室とは区画して形成され、他の冷却媒体を前記冷却媒体封入部外部から導いて流通させる第２冷却室とを備えていることを特徴とする光学装置。
【請求項２】
請求項１に記載の光学装置において、
前記第１冷却室内部には、熱伝導性材料から構成される管状部材が配設され、
前記第２冷却室は、この管状部材の内部空間とされることを特徴とする光学装置。
【請求項３】
請求項２に記載の光学装置において、
前記管状部材は、前記開口部を囲むように配設されることを特徴とする光学装置。
【請求項４】
請求項１に記載の光学装置において、
前記冷却媒体封入部は熱伝導性材料から構成され、
該冷却媒体封入部には、前記開口部を囲む隔壁が形成され、この隔壁の内側が前記第１冷却室、外側が前記第２冷却室とされていることを特徴とする光学装置。
【請求項５】
請求項４に記載の光学装置において、
前記隔壁の少なくとも一部には、該隔壁の内側および／または外側に突出する蛇行部が形成されていることを特徴とする光学装置。
【請求項６】
請求項１〜請求項５のいずれかに記載の光学装置において、
前記保持枠には、前記冷却媒体封入部の外側に突出する突起が形成され、
前記冷却媒体封入部の外側に被せられ、この突起と係合することにより、該冷却媒体封入部を前記保持枠に固定する固定具を備えていることを特徴とする光学装置。
【請求項７】
請求項１〜請求項６のいずれかに記載の光学装置において、
前記冷却媒体封入部は、前記光変調装置の光束射出側および光束入射側の双方に設けられ、
それぞれの冷却媒体封入部の第２冷却室を連絡する流路接続部材を備えていることを特徴とする光学装置。
【請求項８】
光源から射出された光束を画像情報に応じて変調して光学像を形成し、前記光学像を拡大投写するプロジェクタであって、
請求項１〜請求項７のいずれかに記載の光学装置を備えることを特徴とするプロジェクタ。
【発明の詳細な説明】
【技術分野】
【０００１】
本発明は、光源から射出された光束を画像情報に応じて変調して光学像を形成する光変調素子と、この光変調素子を冷却する冷却装置とを備えた光学装置、および、この光学装置を備えたプロジェクタに関する。
【背景技術】
【０００２】
従来から、会議、学会、展示会等でのプレゼンテーションや、家庭での映画鑑賞等にプロジェクタが用いられている。このようなプロジェクタは、光源と、この光源から射出された光束を画像情報に応じて変調して光学像を形成する光変調素子と、この光変調素子の前段および後段に配置され、入射光束の光学変換を行う複数の光学部品とを備える光学装置を備え、この光学装置により形成した光学像を拡大投写する。
【０００３】
近年、プロジェクタの高輝度化および小型化が図られ、プロジェクタ内部に配置された光変調素子および光学部品の高温化が著しい。また、これら光変調素子および光学部品は、熱に弱く、熱劣化を起こしやすい。光変調素子および光学部品に熱劣化が生じた場合、光学像形成に悪影響を与え、プロジェクタの機能維持に支障をきたす場合がある。このため、従来では、ファン等によって冷却空気を送風する空冷式の冷却系が用いられることが一般的であった。しかしながら、空冷式では、放熱能力に限界があるとともに、送風量を確保するために、ファンを高速回転させたり、大型のファンを用いる必要があり、プロジェクタの低騒音化および小型化に対応できないという問題がある。このため、これら光変調素子および光学部品を効率良く冷却する他の冷却系が検討されてきた。
【０００４】
このような問題を解決する１つの冷却系として、内部に冷却媒体（冷媒液）を循環させ、発熱素子を冷却する冷却構造を具備した電子装置が知られている（例えば、特許文献１参照）。このような冷却構造では、発熱素子であるＣＰＵに水冷ジャケットを取り付け、この水冷ジャケット、放熱パイプおよびポンプをチューブによって接続し、ポンプによって内部に封入した冷却媒体を循環させてＣＰＵを冷却する。このような冷却構造をプロジェクタの光学装置に採用し、光変調素子の熱を冷却すれば、液体は、空気に比べて比熱が大きく、熱伝達力が高いので、光変調素子を効率良く冷却できるだけでなく、ファンの回転音および風切音が発生しなくなるので、プロジェクタの低騒音化を実現することができる。
【０００５】
【特許文献１】特開２００３−１２４６７０号公報
【発明の開示】
【発明が解決しようとする課題】
【０００６】
特許文献１に記載の冷却構造をプロジェクタに採用して、光変調素子を効果的に冷却するには、光変調素子の光学像形成領域を冷却媒体によって冷却する必要がある。このような場合、光変調素子で光学像を形成する光束が冷却媒体を透過することとなる。ここで、冷却構造内を冷却媒体が長時間循環すると、冷却媒体に循環経路から不純物が混入したり、光変調装置の熱による冷却媒体の熱劣化が発生したりするため、冷却媒体が変色する場合がある。このような場合、変色した冷却媒体を光束が透過することとなるため、光変調素子で形成される光学像が劣化してしまうという問題がある。
【０００７】
本発明の目的は、光変調素子を効率良く冷却することができ、該光変調素子で形成される光学像の劣化を防ぐことができる光学装置を提供することである。
【課題を解決するための手段】
【０００８】
本発明の光学装置は、光源から射出された光束を画像情報に応じて変調して光学像を形成する光変調素子と、この光変調素子の画像形成領域に応じた開口を備え、この光変調素子を保持する保持枠とを備えた光変調装置を具備する光学装置であって、前記光変調装置の光束入射側および／または光束射出側には、該光変調装置の画像形成領域に応じた開口が形成され、前記光変調素子を冷却する冷却媒体が封入される容器状の冷却媒体封入部が設けられ、この冷却媒体封入部は、前記開口を含む空間に前記冷却媒体を密閉封入する第１冷却室と、前記開口を避けた位置に、前記第１冷却室とは区画して形成され、他の冷却媒体を前記冷却媒体封入部外部から導いて流通させる第２冷却室とを備えていることを特徴とする。
【０００９】
本発明によれば、光変調素子は冷却媒体封入部の第１冷却室に密閉封入された冷却媒体により冷却され、この冷却媒体は第２冷却室内を流通する他の冷却媒体により冷却される。ここで、光変調素子に入射する光束、または、光変調素子から射出された光束は、第１冷却室内の冷却媒体を透過することとなる。このため、第１冷却室内の冷却媒体は、循環せずに光変調素子を冷却することとなるので、冷却媒体に不純物が混入するなどして劣化することを抑えることができる。また、この冷却媒体は、第２冷却室内を循環する冷却媒体により冷却されるので、光変調素子を冷却する冷却媒体の温度上昇を抑えることができる。これにより、第１冷却室内の冷却媒体による光変調素子の冷却効率を向上できるだけでなく、該冷却媒体の熱劣化を防ぐことができる。従って、光変調素子の冷却を効率良く冷却できるだけでなく、光束が透過する冷却媒体の劣化を抑え、光変調素子によって形成される光学像の劣化を防ぐことができる。
また、第２冷却室内を流通する冷却媒体には、光束が透過されないので、第２冷却室内の冷却媒体は、光束透過性である必要はなく、また無色透明である必要が無い。従って、冷却媒体の選択範囲を広げることができるので、安価な冷却媒体を使用することができ、ひいては光学装置の製造コストを低減することができる。
【００１０】
本発明では、前記第１冷却室内部には、熱伝導性材料から構成される管状部材が配設され、前記第２冷却室は、この管状部材の内部空間とされることが好ましい。
本発明によれば、第１冷却室および第２冷却室を確実に区画でき、かつ、冷却装置の構成を簡素化することができる。すなわち、第１冷却室内に第２冷却室となる熱伝導性の管状部材を、光束が透過する開口を囲むように配置して、管状部材内に第２の冷却媒体を流通させることにより冷却媒体封入部を構成できる。
また、第２冷却室が管状部材内の空間として構成されているので、第２冷却室における冷却媒体の流通を良くすることができる。これにより、第２冷却室内での冷却媒体の停滞を防ぐことができ、第２冷却室の冷却媒体による第１冷却室の冷却媒体の冷却を効率良く行うことができる。従って、第１冷却室内の冷却媒体を効果的に冷却することができ、ひいては、光変調素子を効果的に冷却することができる。
【００１１】
本発明では、前記管状部材は、前記開口部を囲むように配設されることが好ましい。
本発明によれば、第１冷却室内の冷却媒体と、管状部材との接触面積を拡大することができる。これによれば、第１冷却室内の冷却媒体の熱が管状部材に伝導され、この管状部材の熱を該管状部材内を流通する冷却媒体により冷却しやすくすることができる。従って、第１冷却室内の冷却媒体を一層効果的に冷却することができ、光変調素子を一層効率良く冷却することができる。
【００１２】
あるいは、本発明では、前記冷却媒体封入部は熱伝導性材料から構成され、該冷却媒体封入部には、前記開口部を囲む隔壁が形成され、この隔壁の内側が前記第１冷却室、外側が前記第２冷却室とされていることが好ましい。
本発明によれば、光束が透過する開口を囲む隔壁により、第１冷却室および第２冷却室
が区画され、この隔壁は熱伝導性材料から形成されているので、これらを冷却媒体封入部内に一体的に形成することができる。これにより、冷却媒体封入部の部品点数を削減でき、冷却媒体封入部の構成を簡素化することができる。また、第１冷却室および第２冷却室が、冷却媒体封入部内に一体的に形成されているので、これら第１冷却室および第２冷却室のいずれかを、冷却媒体封入部内に別部材として設ける必要が無い。このため、冷却媒体封入部の製造工程を簡素化することができる。
【００１３】
本発明では、前記隔壁の少なくとも一部には、該隔壁の内側および／または外側に突出する蛇行部が形成されていることが好ましい。
本発明によれば、隔壁に形成された蛇行部により、隔壁と第１冷却室内の冷却媒体および第２冷却室の冷却媒体の少なくともいずれかとの接触面積を拡大することができる。これによれば、第１冷却室内の冷却媒体と、第２冷却室内の冷却媒体との、隔壁を介して行われる熱伝導を効果的に行うことができる。従って、第１冷却室内の冷却媒体の冷却を効率良く行うことができ、ひいては、光変調素子の冷却効率を一層向上することができる。
【００１４】
本発明では、前記保持枠には、前記冷却媒体封入部の外側に突出する突起が形成され、前記冷却媒体封入部の外側に被せられ、この突起と係合することにより、該冷却媒体封入部を前記保持枠に固定する固定具を備えていることが好ましい。
本発明によれば、保持枠の光束入射側または光束射出側に冷却媒体封入部を取り付けた後に、保持枠に形成された突起に係合するように固定部を取り付けることにより、冷却媒体封入部を保持枠に簡単に固定することができる。従って、光学装置の製造工程を簡略化することができる。
【００１５】
本発明では、前記冷却媒体封入部は、前記光変調装置の光束射出側および光束入射側の双方に設けられ、それぞれの冷却媒体封入部の第２冷却室を連絡する流路接続部材を備えていることが好ましい。
本発明によれば、それぞれの冷却装置は、光変調素子を光束入射側および光束射出側の両面から光変調素子を冷却することができる。これにより、光変調素子をより効果的に冷却することができる。また、光変調素子を、該光変調素子の両面から冷却することができるので、光変調素子における熱分布を均等にすることができる。従って、光変調素子の局所的な高温化を防ぐことができ、熱劣化を一層抑えられるとともに、製品寿命を延ばすことができる。
さらに、流路接続部材により、それぞれの冷却媒体封入部に設けられた第２冷却室間が接続されるので、第２冷却室を流通する冷却媒体の流通経路を統一することができ、光学装置の構成を簡素化することができる。
【００１６】
また、本発明のプロジェクタは、光源から射出された光束を画像情報に応じて変調して光学像を形成し、前記光学像を拡大投写するプロジェクタであって、前述の光学装置を備えることを特徴とする。
【００１７】
本発明によれば、前述の光学装置と略同じ効果を奏することができる。すなわち、冷却媒体封入部の第１冷却室に密閉封入された冷却媒体により、光学像を形成する光変調素子を冷却することができるとともに、この冷却媒体を、第２冷却室内を流通する別の冷却媒体によって冷却することができる。従って、光変調素子の冷却を効果的に行うことができる。
また、第１冷却室内の冷却媒体を冷却する第２冷却室内の冷却媒体には、光学像形成に利用される光束が透過されないので、第２冷却室内を流通する冷却媒体が変色した場合、および、流通過程における不純物の混入が発生した場合でも、形成される光学像に悪影響を与えることを防ぐことができる。
従って、光変調素子の冷却を効果的に行うことができるとともに、光学像の劣化を防ぐことができる。
【発明を実施するための最良の形態】
【００１８】
〔１．第１実施形態〕
以下、本発明の第１実施形態を図面に基づいて説明する。
（１）プロジェクタの構成
図１は、プロジェクタ１の概略構成を模式的に示す図である。
プロジェクタ１は、光源から射出される光束を画像情報に応じて変調して光学像を形成し、形成した光学像をスクリーン上に拡大投射するものである。このプロジェクタ１は、外装ケース２と、冷却ユニット３と、光学ユニット４と、投射光学装置としての投射レンズ５とを備える。
なお、図１において、図示は省略するが、外装ケース２内において、冷却ユニット３、光学ユニット４、および投射レンズ５以外の空間には、電源ブロック、ランプ駆動回路等が配置されるものとする。
【００１９】
外装ケース２は、合成樹脂等から構成され、冷却ユニット３、光学ユニット４、および投射レンズ５を内部に収納配置する全体略直方体状に形成されている。この外装ケース２は、図示は省略するが、プロジェクタ１の天面、前面、背面、および側面をそれぞれ構成するアッパーケースと、プロジェクタ１の底面、前面、側面、および背面をそれぞれ構成するロアーケースとで構成され、前記アッパーケースおよび前記ロアーケースは互いにねじ等で固定されている。
なお、外装ケース２は、合成樹脂製に限らず、その他の材料にて形成してもよく、例えば、金属等により構成してもよい。
また、図示は省略するが、この外装ケース２には、冷却ユニット３によりプロジェクタ１外部から冷却空気を内部に導入するための吸気口、およびプロジェクタ１内部で温められた空気を排出するための排気口が形成されている。
さらに、この外装ケース２には、図１に示すように、投射レンズ５の側方で外装ケース２の角部分に位置し、光学ユニット４の後述する光学装置のラジエータを他の部材と隔離する隔壁２１が形成されている。
【００２０】
冷却ユニット３は、プロジェクタ１内部に形成される冷却流路に冷却空気を送り込み、プロジェクタ１内で発生する熱を冷却する。この冷却ユニット３は、投射レンズ５の側方に位置し、外装ケース２に形成された図示しない吸気口からプロジェクタ１外部の冷却空気を内部に導入して光学ユニット４の後述する光学装置に冷却空気を吹き付けるシロッコファン３１と、外装ケース２に形成された隔壁２１内部に位置し、外装ケース２に形成された図示しない吸気口からプロジェクタ１外部の冷却空気を内部に導入して光学ユニット４の後述するラジエータに冷却空気を吹き付ける冷却ファンとしての軸流ファン３２とを備える。
なお、この冷却ユニット３は、図示は省略するが、シロッコファン３１および軸流ファン３２の他、光学ユニット４の後述する光源装置、および図示しない電源ブロック、ランプ駆動回路等を冷却するための冷却ファンも有しているものとする。
【００２１】
光学ユニット４は、光源から射出された光束を、光学的に処理して画像情報に対応して光学像（カラー画像）を形成するユニットである。この光学ユニット４は、図１に示すように、外装ケース２の背面に沿って延出するとともに、外装ケース２の側面に沿って延出する平面視略Ｌ字形状を有している。なお、この光学ユニット４の詳細な構成については、後述する。
投射レンズ５は、複数のレンズが組み合わされた組レンズとして構成される。そして、この投射レンズ５は、光学ユニット４にて形成された光学像（カラー画像）を図示しないスクリーン上に拡大投射する。
【００２２】
（２）光学ユニットの詳細な構成
光学ユニット４は、図１に示すように、インテグレータ照明光学系４１と、色分離光学系４２と、リレー光学系４３と、光学装置４４と、これら光学部品４１〜４３、および、光学装置４４の後述する光学装置本体４５を収納配置する光学部品用筐体４６とを備える。
インテグレータ照明光学系４１は、光学装置４４を構成する後述する液晶パネルの画像形成領域を略均一に照明するための光学系である。このインテグレータ照明光学系４１は、図１に示すように、光源装置４１１と、第１レンズアレイ４１２と、第２レンズアレイ４１３と、偏光変換素子４１４と、重畳レンズ４１５とを備える。
【００２３】
光源装置４１１は、放射状の光線を射出する光源ランプ４１６と、この光源ランプ４１６から射出された放射光を反射するリフレクタ４１７とを備える。光源ランプ４１６としては、ハロゲンランプやメタルハライドランプ、高圧水銀ランプが多用される。また、リフレクタ４１７としては、図１では、放物面鏡を採用しているが、これに限らず、楕円面鏡で構成し、光束射出側に該楕円面鏡により反射された光束を平行光とする平行化凹レンズを採用した構成としてもよい。
第１レンズアレイ４１２は、光軸方向から見て略矩形状の輪郭を有する小レンズがマトリクス状に配列された構成を有している。各小レンズは、光源装置４１１から射出される光束を、複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を光学装置４４の後述する液晶パネル上に結像させる機能を有している。
【００２４】
偏光変換素子４１４は、第２レンズアレイ４１３と重畳レンズ４１５との間に配置され、第２レンズアレイ４１３からの光を略１種類の偏光光に変換するものである。
具体的に、偏光変換素子４１４によって略１種類の偏光光に変換された各部分光は、重畳レンズ４１５によって最終的に光学装置４４の後述する液晶パネル上にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の偏光光に変換し、光学装置４４での光の利用効率を高めている。
【００２５】
色分離光学系４２は、図１に示すように、２枚のダイクロイックミラー４２１，４２２と、反射ミラー４２３とを備え、ダイクロイックミラー４２１，４２２によりインテグレータ照明光学系４１から射出された複数の部分光束を、赤、緑、青の３色の色光に分離する機能を有している。
リレー光学系４３は、図１に示すように、入射側レンズ４３１、リレーレンズ４３３、および反射ミラー４３２，４３４を備え、色分離光学系４２で分離された赤色光を光学装置４４の後述する赤色光用の液晶パネルまで導く機能を有している。
【００２６】
この際、色分離光学系４２のダイクロイックミラー４２１では、インテグレータ照明光学系４１から射出された光束の青色光成分が反射するとともに、赤色光成分と緑色光成分とが透過する。ダイクロイックミラー４２１によって反射した青色光は、反射ミラー４２３で反射し、フィールドレンズ４１８を通って光学装置４４の後述する青色光用の液晶パネルに達する。このフィールドレンズ４１８は、第２レンズアレイ４１３から射出された各部分光側をその中心軸（主光線）に対して平行な光束に変換する。他の緑色光用、赤色光用の液晶パネルの光入射側に設けられたフィールドレンズ４１８も同様である。
【００２７】
ダイクロイックミラー４２１を透過した赤色光と緑色光のうちで、緑色光はダイクロイックミラー４２２によって反射し、フィールドレンズ４１８を通って光学装置４４の後述する緑色光用の液晶パネルに達する。一方、赤色光はダイクロイックミラー４２２を透過してリレー光学系４３を通り、さらにフィールドレンズ４１８を通って光学装置４４の後述する赤色光用の液晶パネルに達する。なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。本実施形態においては赤色光の光路長が長いのでこのような構成とされているが青色光の光路長を長くする構成も考えられる。
【００２８】
光学装置４４は、図１に示すように、光変調素子としての３枚の液晶パネル４４１（赤色光用の液晶パネルを４４１Ｒ、緑色光用の液晶パネルを４４１Ｇ、青色光用の液晶パネルを４４１Ｂとする）と、この液晶パネル４４１の光束入射側および光束射出側に配置される光学変換素子としての入射側偏光板４４２および射出側偏光板４４３と、色合成光学装置としてのクロスダイクロイックプリズム４４４とが一体的に形成されたものである。
なお、光学装置４４は、具体的な構成は後述するが、液晶パネル４４１、入射側偏光板４４２、射出側偏光板４４３、およびクロスダイクロイックプリズム４４４等から構成される光学装置本体以外に、メインタンク、媒体圧送部、ラジエータおよび媒体循環部材を備える。
【００２９】
液晶パネル４４１は、ガラスなどからなる一対の図示しない基板に電気光学物質である液晶が密閉封入された構成を有している。このうち、一方の基板は、液晶を駆動するための駆動基板であり、互いに平行に配列形成される複数のデータ線と、複数のデータ線と直交する方向に配列形成される複数の走査線と、走査線およびデータ線の交差に対応してマトリクス状に配列形成される画素電極と、ＴＦＴ等のスイッチング素子とを有している。また、他方の基板は、前述の基板に対して所定間隔を空けて対向配置される対向基板であり、所定の電圧Ｖcomが印加される共通電極を有している。そして、これら一対の基板には、図示しない制御装置と電気的に接続し、前記走査線、前記データ線、前記スイッチング素子、および前記共通電極等に所定の駆動信号を出力するフレキシブルプリント基板４４１Ｅ（図５）が接続されている。このフレキシブルプリント基板４４１Ｅを介して前記制御装置から駆動信号を入力することで、所定の前記画素電極と前記共通電極との間に電圧が印加され、該画素電極および共通電極間に介在する液晶の配向状態が制御され、入射側偏光板４４２から射出された偏光光束の偏光方向が変調される。
【００３０】
入射側偏光板４４２は、偏光変換素子４１４で偏光方向が略一方向に揃えられた各色光が入射され、入射された光束のうち、偏光変換素子４１４で揃えられた光束の偏光軸と略同一方向の偏光光のみ透過させ、その他の光束を吸収するものである。この入射側偏光板４４２は、例えば、サファイアガラスまたは水晶等の透光性基板上に光学変換膜としての図示しない視野角補正膜および偏光膜が貼付された構成を有している。
射出側偏光板４４３は、液晶パネル４４１から射出された光束のうち、入射側偏光板４４２における光束の透過軸と直交する偏光軸を有する光束のみ透過させ、その他の光束を吸収するものである。この射出側偏光板４４３は、入射側偏光板４４２と同様に、透光性基板上に図示しない視野角補正膜および偏光膜が貼付された構成を有している。
なお、上述した視野角補正膜は、液晶パネル４４１で形成される光学像の視野角を補正する機能を有するものであり、この視野角補正膜を配置することで投射画像の視野角が拡大されかつ、投射画像のコントラストが大幅に向上する。
【００３１】
クロスダイクロイックプリズム４４４は、射出側偏光板４４３から射出された色光毎に変調された光学像を合成してカラー画像を形成する光学素子である。このクロスダイクロイックプリズム４４４は、４つの直角プリズムを貼り合わせた平面視略正方形状をなし、直角プリズム同士を貼り合わせた界面には、２つの誘電体多層膜が形成されている。これら誘電体多層膜は、液晶パネル４４１Ｒ，４４１Ｂから射出され射出側偏光板４４３を介した色光を反射し、液晶パネル４４１Ｇから射出され射出側偏光板４４３を介した色光を透過する。このようにして、各液晶パネル４４１Ｒ，４４１Ｇ，４４１Ｂにて変調された各色光が合成されてカラー画像が形成される。
【００３２】
光学部品用筐体４６は、例えば、金属製部材から構成され、図１に示すように、内部に所定の照明光軸Ａが設定され、上述した光学部品４１〜４３、および光学装置４４の後述する光学装置本体を照明光軸Ａに対する所定位置に収納配置する。なお、光学部品用筐体４６は、金属製部材に限らず、熱伝導性材料であればその他の材料にて構成してもよい。この光学部品用筐体４６は、具体的な図示は省略するが、光学部品４１〜４３、および光学装置４４の後述する光学装置本体を収納する容器状の部品収納部材と、部品収納部材の開口部分を閉塞する蓋状部材とで構成される。
このうち、部品収納部材は、光学部品用筐体４６の底面、前面、および側面をそれぞれ構成する。
この部品収納部材において、底面には、光学装置４４の液晶パネル４４１位置に対応して形成された図示しない３つの孔が形成されている。そして、冷却ユニット３のシロッコファン３１によりプロジェクタ１外部から内部に導入された冷却空気は、シロッコファン３１から吐出され、前記３つの孔を介して光学装置４４の３つの液晶パネル４４１へと流通する。
【００３３】
（３）光学装置の構成
図２は、光学装置４４を下方から見た斜視図である。
光学装置４４は、図２に示すように、前述の液晶パネル４４１、入射側偏光板４４２、射出側偏光板４４３、およびクロスダイクロイックプリズム４４４がユニット化された光学装置本体４５と、メインタンク４４５と、媒体圧送部４４６と、ラジエータ４４７と、複数の媒体循環部材４４８とを備える。
このうち、媒体循環部材４４８は、エチレングリコール溶液等の冷却媒体が内部に流通可能に構成されており、媒体循環部材４４８内部を冷却媒体が流通する際に、該冷却媒体の熱が放熱される。この媒体循環部材４４８は、本実施形態では、アルミニウム製の管状部材で構成されているが、銅、マグネシウムまたはチタン等の金属で構成してもよく、あるいは熱伝導性の合成樹脂およびゴム等の弾性体で構成してもよい。また、本実施形態では、冷却媒体として、透明性の非揮発性液体であるエチレングリコールを採用したが、他の液体を採用してもよい。
なお、光学装置本体４５の構造は、後に詳述する。
【００３４】
メインタンク４４５は、図２に示すように、略円柱形状を有し、アルミニウム製の２つの容器状部材から構成され、２つの容器状部材の開口部分を互いに接続することで内部に冷却流体を一時的に蓄積する。
このメインタンク４４５の円柱軸方向略中央部分には、冷却媒体を内部に流入させる冷却媒体流入部４４５Ａと、内部の冷却流体を外部に流出させる冷却媒体流出部４４５Ｂとが形成されている。これら冷却媒体流入部４４５Ａおよび冷却媒体流出部４４５Ｂは、媒体循環部材４４８を介して、それぞれ媒体圧送部４４６およびラジエータ４４７に接続される。
【００３５】
媒体圧送部４４６は、具体的な図示は省略するが、例えば、略直方体状のアルミニウム製の中空部材内に羽根車が配置された構成を有する。この羽根車が、図示しない制御装置による制御の下で回転することにより、メインタンク４４５内の冷却媒体が媒体循環部材４４８を介して媒体圧送部４４６内に流入し、流入した冷却流体を媒体循環部材４４８を介して光学装置本体４５に強制的に送出する。このため、媒体圧送部４４６には、媒体循環部材４４８を介して、メインタンク４４５から冷却媒体が流入する冷却媒体流入部４４６Ａと、光学装置本体４５に冷却媒体を流出させる冷却媒体流出部４４６Ｂとが形成されている。
このような構成では、媒体圧送部４４６は、前記羽根車の回転軸方向の厚み寸法を小さくすることができ、プロジェクタ１内部の空きスペースに配置することが可能となる。本実施形態では、媒体圧送部４４６は、投射レンズ５の下方に配置される。
【００３６】
ラジエータ４４７は、図１および図２に示すように、外装ケース２に形成された隔壁２１内に配置され、光学装置本体４５において各液晶パネル４４１等の冷却に供されて熱を帯びた冷却媒体の熱を放熱するものである。このラジエータ４４７は、図示を省略するが、媒体循環部材４４８を介して、光学装置本体４５から冷却媒体が流入され、かつ、メインタンク４４５に該冷却媒体を導くアルミニウム製の管状部材と、この管状部材に熱伝導可能に接触する放熱用のフィン４４７１とを備えている。これにより、光学装置本体４５での冷却に供され熱せられた冷却媒体の熱は、管状部材内を流通する際に、フィン４４７１に伝導される。ここで、フィン４４７１には、前述の軸流ファン３２から冷却空気が送風されており、この冷却空気によりフィン４４７１が冷却される。これにより、冷却媒体を効果的に冷却することができる。
【００３７】
図３は、光学装置本体４５を上方から見た斜視図である。
光学装置本体４５は、図３に示すように、クロスダイクロイックプリズム４４４と、このクロスダイクロイックプリズム４４４上面に載置される中継部材４５１と、３つの光学変換装置６（赤色光を光学変換する光学変換装置６Ｒ、緑色光を光学変換する光学変換装置６Ｇ、青色光を光学変換する光学変換装置６Ｂ）と、これら光学変換装置６のそれぞれをクロスダイクロイックプリズム４４４の各光束入射面に固定する３つの光学変換装置保持体４５２と、クロスダイクロイックプリズム４４４が載置されるプリズム台座４５３とを備える。このうち、光学変換装置６（６Ｒ，６Ｇ，６Ｂ）は、液晶パネル４４１（４４１Ｒ，４４１Ｇ，４４１Ｂ）を保持する液晶パネル保持枠６１と、入射側偏光板４４２および射出側偏光板４４３を保持するとともに、これら液晶パネル４４１、入射側偏光板４４２および射出側偏光板４４３を冷却する冷却装置６２（６２Ａ，６２Ｂ）が、固定具６３により一体化された構造を有する。この光学変換装置６については、後に詳述する。
【００３８】
中継部材４５１は、具体的な図示は省略するが、アルミニウム製の中空部材である第１中継部４５１Ａと第２中継部４５１Ｂとを組み合わせた構成を有している。
第１中継部４５１Ａは、中継部材４５１の上部を構成し、媒体循環部材４４８を介して前述の媒体圧送部４４６に接続される１つの冷却媒体流入部４５１Ａ１と、第１中継部４５１Ａに流入された冷却媒体を光学変換装置６の冷却装置６２（６２Ｂ）に供給する３つの冷却媒体供給部４５１Ａ２とを備えている。
第２中継部４５１Ｂは、中継部材４５１の下部を構成し、それぞれの光学変換装置６の冷却装置６２（６２Ａ）から冷却媒体が流入する３つの冷却媒体流入部４５１Ｂ２と、媒体循環部材４４８を介して前述のラジエータ４４７と接続される図示しない冷却媒体排出部とを備えている。
【００３９】
これら第１中継部４５１Ａおよび第２中継部４５１Ｂのそれぞれには、内部に冷却媒体が流通する流路が形成されている。すなわち、媒体圧送部４４６から圧送された冷却媒体は、第１中継部４５１Ａに形成された冷却媒体流入部４５１Ａ１から第１中継部４５１内に流入し、３つの冷却媒体供給部４５１Ａ２のそれぞれから光学変換装置６の冷却装置６２（６２Ｂ）に供給される。また、冷却装置６２での冷却に供された冷却媒体は、冷却装置６２Ａから第２中継部４５１Ｂに形成された冷却媒体流入部４５１Ｂ２を介して第２中継部４５１Ｂ内に流入し、冷却媒体排出部から媒体循環部材４４８を介してラジエータ４４７に送出される。
【００４０】
光学変換装置保持体４５２は、光学変換装置６をクロスダイクロイックプリズム４４４の光束入射面に固定するための熱伝導性材料により構成された略矩形の板状体である。この光学変換装置保持体４５２は、具体的な図示を省略するが、略中央に、光学変換装置６から射出された光束が透過する開口部が形成されている。また、光学変換装置保持体４５２の光束入射側の面には、その四隅部分に、凹部が形成されている。この凹部には、棒状のピンスペーサ４５４が、光学変換装置保持体４５２の光束入射側の面から面外方向に突出するように嵌合される。このピンスペーサ４５４は、後述する光学変換装置６の液晶パネル保持枠６１に形成された孔６１２Ａ（図５）に挿通され、光学変換装置６の位置決めがなされた後、ピンスペーサ４５４の先端部分に図示しないキャップが取り付けられ、該光学変換装置６を光学変換装置保持体４５２に保持させる。
【００４１】
プリズム台座４５３は、略Ｘ字状に延出した脚部４５３Ａ１を有し、光学装置本体４５を光学部品用筐体４６に固定する本体固定部４５３Ａと、この本体固定部４５３Ａの略中央に略直方体形状に形成され、クロスダイクロイックプリズム４４４が載置される載置部４５３Ｂとから構成されている。
このうち、本体固定部４５３Ａに形成された脚部４５３Ａ１の先端部分には、略円形の孔４５３Ａ２がそれぞれ形成されている。これらの孔４５３Ａ２にねじ等の固定具が挿通され、この固定具が光学部品用筐体４６に形成された図示しない孔に係合することにより、光学装置本体４５が光学部品用筐体４６に固定される。
載置部４５３Ｂの上面には、略中央に向かうにつれて盛り上がった図示しない膨出部が形成されており、この膨出部にクロスダイクロイックプリズム４４４が載置される。これにより、クロスダイクロイックプリズム４４４を紫外線硬化性または熱硬化性の接着剤等により固定する際に、クロスダイクロイックプリズム４４４の入射光束の光軸に対する傾き調整を容易にすることができる。
【００４２】
図４は、光学変換装置６の斜視図である。また、図５は、光学変換装置６の分解斜視図である。
光学変換装置６は、液晶パネル４４１、入射側偏光板４４２および射出側偏光板４４３を一体的に保持するとともに、これら光学部品４４１，４４２，４４３で発生した熱を冷却する。この光学変換装置６は、液晶パネル４４１を保持する液晶パネル保持枠６１と、この液晶パネル保持枠６１の光束入射側の面に取り付けられる冷却装置６２Ａと、同じく液晶パネル保持枠６１の光束射出側の面に取り付けられる冷却装置６２Ｂと、これら冷却装置６２Ａ，６２Ｂを液晶パネル保持枠６１に固定する２つの固定具６３とを備えている。
なお、冷却装置６２Ａ，６２Ｂの構造は後に詳述する。
【００４３】
液晶パネル保持枠６１は、アルミニウム等の熱伝導性材料で構成された略Ｈ状部材であり、液晶パネル４４１と組み合わされることにより光変調装置を構成する。この液晶パネル保持枠６１の内部には、液晶パネル４４１の外形寸法と略同じ大きさで形成された図示しない収納部が形成されている。この収納部は、液晶パネル保持枠６１の背面側、すなわち、液晶パネル４４１を保持した場合の光束射出側に開口しており、この収納部の開口から液晶パネル４４１が収納部に嵌合され、該液晶パネル４４１は、液晶パネル保持枠６１に保持される。このため、液晶パネル４４１の光束射出面は、液晶パネル保持枠６１の背面側に露出することとなる。
【００４４】
また、液晶パネル保持枠６１の前面、すなわち、液晶パネル４４１が保持された場合の光束入射側の面には、略中央に略矩形の開口部６１１が形成されている。この開口部６１１は、液晶パネル４４１に光束を入射させるための光束透過口であり、画像形成領域となる。この開口部６１１に、液晶パネル４４１の光束入射面が露出する。
液晶パネル保持枠６１の四隅部分から、上方および下方に延出する延出部６１２のそれぞれには、液晶パネル保持枠６１を光束の入射方向に貫通する孔６１２Ａが形成されている。これらの孔６１２Ａには、前述のピンスペーサ４５４が挿通される。
【００４５】
さらに、液晶パネル保持枠６１の幅方向両側面の略中央には、固定具６３が係合する係合部６１３が形成されている。これら係合部６１３のうち、一方の側面に形成された係合部６１３は、１つの係合突起６１３Ａと、この係合突起６１３Ａを挟むように形成された２つの係合突起６１３Ｂとを備え、他方の側面に形成された係合部６１３は、１つの係合突起６１３Ｂと、この係合突起６１３Ｂを挟むように形成された２つの係合突起６１３Ａとを備えている。
【００４６】
係合突起６１３Ａ，６１３Ｂは、それぞれ面外方向に突出する断面略三角形状の突起として形成されているが、それぞれの形成されている方向が異なる。すなわち、係合突起６１３Ａは、液晶パネル保持枠６１の光束射出側から光束入射側に向かうにしたがって、突出の高さ寸法が大きくなるように形成されている。逆に、係合突起６１３Ｂは、液晶パネル保持枠６１の光束入射側から光束射出側に向かうにしたがって、突出の高さ寸法が大きくなるように形成されている。
【００４７】
固定具６３は、断面略Ｕ字状の板状部材であり、前述のように、液晶パネル保持枠６１に、冷却装置６２Ａ，６２Ｂを固定するものである。この固定具６３の略中央には、光束が透過する開口部６３１が形成され、また、幅方向の両端部には、面外方向に延出する延出部６３２，６３３が形成されている。
このうち、延出部６３２は、側面視略Ｕ字状に形成されており、それぞれの先端部分に開口部６３２１が形成されている。また、延出部６３３の先端部にも、開口部６３３１が形成されている。これら開口部６３２１，６３３１には、前述の液晶パネル保持枠６１の係合部６１３に形成された係合突起６１３Ａ，６１３Ｂのいずれかが嵌合される。
【００４８】
すなわち、固定具６３が、液晶パネル保持枠６１の光束入射側に取り付けられる冷却装置６２Ａを固定する場合には、それぞれの開口部６３２１，６３３１は、液晶パネル保持枠６１に形成された係合部６１３それぞれの係合突起６１３Ｂが嵌合される。逆に、固定具６３が、液晶パネル保持枠６１の光束射出側に取り付けられる冷却装置６２Ｂを固定する場合には、それぞれの開口部６３２１，６３３１は、それぞれの係合部６１３の係合突起６１３Ａが嵌合される。これにより、液晶パネル保持枠６１にそれぞれの固定具６３を嵌合しやすくすることができるとともに、固定具６３の嵌合を外れにくくすることができる。従って、固定具６３により、冷却装置６２Ａ，６２Ｂを液晶パネル保持枠６１に確実に、かつ、簡単に固定することができる。
【００４９】
図６は、冷却装置６２の斜視図であり、図７は、その分解斜視図である。また、図８は、冷却装置６２の断面図である。
冷却装置６２（６２Ａ，６２Ｂ）は、液晶パネル保持枠６１に固定され、該液晶パネル保持枠６１内に収納された液晶パネル４４１を冷却する。また、冷却装置６２（６２Ａ，６２Ｂ）は、それぞれ入射側偏光板４４２および射出側偏光板４４３を保持するとともに、これらを冷却する。
このうち、冷却装置６２Ａは、図６〜図８に示すように、冷却媒体が封入される容器状の冷却媒体封入部６２１と、この冷却媒体封入部６２１内に収納され、冷却媒体が流通する略Ｕ字状の配管６２２と、この配管６２２を冷却媒体封入部６２１に固定する固定部材６２３とを備える。
【００５０】
冷却媒体封入部６２１は、液晶パネル保持枠６１に当接され、内部に封入された冷却媒体により、液晶パネル４４１を冷却するものである。この冷却媒体封入部６２１内部には、冷却媒体が密閉封入される第１冷却室としての冷却室６２１１が形成されている。
また、冷却媒体封入部６２１の光束入射側および光束射出側には、液晶パネル保持枠６１に収納される液晶パネル４４１に対応する位置に、光源装置４１１から射出された光束を該液晶パネル４４１の光束入射面に透過させる開口部６２１Ａ，６２１Ｂが形成されている。
【００５１】
このうち、開口部６２１Ａの周囲には、該開口部６２１Ａを囲むように、一条の第１溝部６２１Ａ１が形成され、この第１溝部６２１Ａ１を囲むように、第１溝部６２１Ａ１より深さ寸法の小さい第２溝部６２１Ａ２が形成されている。
第１溝部６２１Ａ１には、第１溝部６２１Ａ１の形状に合わせて略矩形状に形成され、中央に光束透過のための開口が形成されたゴム等の弾性部材６２４が取り付けられる。また、第２溝部６２１Ａ２には、弾性部材６２４に当接するように、入射側偏光板４４２が嵌合される。すなわち、この弾性部材６２４は、冷却媒体封入部６２１の冷却室６２１１に封入された冷却媒体が、開口部６２１Ａから漏出しないためのパッキンである。
【００５２】
開口部６２１Ｂの周囲にも、図示を略すが、第１溝部６２１Ａ１と同様の溝部が形成されている。この溝部には、弾性部材６２４が取り付けられるが、この弾性部材６２４は、液晶パネル４４１の光束入射面に当接される。これにより、冷却媒体封入部６２１の冷却室６２１１内に密閉封入された冷却媒体を液晶パネル４４１に直接接触させる際に、開口部６２１Ｂから該冷却媒体が漏出することを防ぐことができる。
【００５３】
冷却媒体封入部６２１の上面６２１Ｃには、配管６２２を有する固定部材６２３が固定される。この上面６２１Ｃの略中央には、配管６２２を冷却室６２１１内に収納するための開口部６２１Ｃ１が形成され、また、上面６２１Ｃの幅方向両端部には、それぞれ孔６２１Ｃ３が形成されている。
開口部６２１Ｃ１は、略矩形に形成され、冷却室６２１１と連通している。この開口部６２１Ｃ１には、内側に向かって図示しない段差が形成されている。この段差部分には、前述の弾性部材６２４と同様の弾性部材６２１Ｃ２が取り付けられる。これにより、開口部６２１Ｃ１から、冷却室６２１１内の冷却媒体が漏出しないようにすることができる。
また、２つの孔６２１Ｃ３は、固定部材６２３を上面６２１Ｃに固定する際に、ねじ６２５が螺合するためのねじ孔として構成されている。
【００５４】
固定部材６２３は、冷却媒体封入部６２１の上面６２１Ｃに該固定部材６２３の底面を当接させるようにして固定される。この際、固定部材６２３に設けられた配管６２２は、冷却媒体封入部６２１内部に形成された冷却室６２１１に収納される。
この配管６２２は、熱伝導性の略Ｕ字状の管状部材であり、内部に冷却媒体が流通しており、この配管６２２内部の空間６２２Ａが本発明の第２冷却室に相当する。この配管６２２には、配管６２２内に冷却媒体を流入させる媒体流入部６２２１と、この媒体流入部６２２１から流入した冷却媒体が配管６２２内を流入した後に排出される媒体流出部６２２２とが形成されている。これら媒体流入部６２２１および媒体流出部６２２２は、固定部材６２３の上面６２３Ａに露出している。
なお、配管６２２は、本実施形態では、銅製とされているが、アルミニウム、マグネシウムおよびチタン等の金属または合成樹脂等により形成してもよい。
【００５５】
また、固定部材６２３の上面６２３Ａには、配管６２２の媒体流入部６２２１および媒体流出部６２２２に挟まれるように、冷却媒体封入部６２１の冷却室６２１１に冷却媒体を供給するための２つの媒体供給口６２３１が形成されている。これら媒体供給口６２３１には、それぞれキャップ６２３２が取り付けられる。すなわち、固定部材６２３が冷却媒体封入部６２１に固定され、冷却装置６２が液晶パネル保持枠６１に固定された後に、これら媒体供給口６２３１を介して冷却媒体が冷却室６２１１内に供給され、冷却室６２１１内が冷却媒体で充填された後に、該媒体供給口６２３１がキャップ６２３２によって封止される。
【００５６】
さらに、上面６２３Ａの幅方向両端部には、それぞれ固定部材６２３を上下方向に貫通する孔６２３４が形成されている。これらの孔６２３４は、前述の冷却媒体封入部６２１の上面６２１Ｃに形成された孔６２１Ｃ３に螺合するねじ６２５が挿通される孔である。これにより、固定部材６２３が冷却媒体封入部６２１に固定される。
【００５７】
ここで、固定部材６２３が冷却媒体封入部６２１に固定される際に、この固定部材６２３に保持される配管６２２は、冷却媒体封入部６２１に形成された開口部６２１Ａ，６２１Ｂから避けて配置される。すなわち、配管６２２は、開口部６２１Ａから開口部６２１Ｂに透過する光束の光束透過領域を囲むように、冷却室６２１１内に収納される。これにより、配管６２２は、光束透過領域内に入らないように収納される。
【００５８】
このような冷却装置６２Ａでは、図８に示すように、冷却媒体封入部６２１の冷却室６２１１内に密閉封入された冷却媒体は、液晶パネル４４１の光束入射面および入射側偏光板４４２に直接接触するので、液晶パネル４４１および入射側偏光板４４２の冷却を効果的に行うことができる。ここで、液晶パネル４４１および入射側偏光板４４２の冷却に供され、熱を帯びた冷却媒体の熱は、同じく冷却室６２１１内に収納された熱伝導性の配管６２２に伝導される。この配管６２２には、媒体圧送部４４６から中継部材４５１を介して圧送される他の冷却媒体が、媒体流入部６２２１を介して矢印Ａ１方向に流入する。この冷却媒体は、配管６２２内を矢印Ａ２方向に流通しつつ、配管６２２に伝導された冷却室６２１１内の冷却媒体を冷却し、媒体流出部６２２２を介して矢印Ａ３方向に排出される。
これにより、冷却室６２１１内の冷却媒体を、配管６２２内を流通する冷却媒体で冷却できるので、冷却室６２１１内の冷却媒体を低温に保つことができ、液晶パネル４４１の光束入射面および入射側偏光板４４２を効果的に冷却することができる。また、配管６２２は、冷却媒体封入部６２１の開口部６２１Ａ，６２１Ｂを透過する光束透過領域を囲むように配置されているので、冷却室６２１１の冷却媒体との接触面積を拡大することができるとともに、配管６２２が光束透過領域内に入らないようにすることができる。従って、冷却室６２１１内の冷却媒体と、配管６２２内の冷却媒体の熱交換効率を向上することができるので、液晶パネル４４１および入射側偏光板４４２の冷却効率を一層向上することができる。
【００５９】
また、液晶パネル４４１および入射側偏光板４４２を冷却する冷却室６２１１内の冷却媒体は、密閉封入されており、冷却室６２１１内でのみ対流する。この冷却媒体は配管６２２内を流通する冷却媒体によって冷却されるが、この冷却媒体は、配管６２２内を流通するので、この冷却媒体に光束は透過されない。これによれば、配管６２２内を流通する冷却媒体が流通過程で熱劣化等による変色が発生した場合、および、冷却媒体に不純物が混入された場合であっても、光束が透過する冷却室６２１１内の冷却媒体と直接接触せず、また、光束も透過しないので、これらの冷却媒体の変色および不純物の混入が、液晶パネル４４１によって形成される光学像に影響を与えることを防ぐことができる。従って、冷却媒体の循環によって変色等が発生した場合でも、形成される光学像に影響を与えずに、安定した光学像の形成を行うことができる。
【００６０】
さらに、配管６２２内を流通する冷却媒体には、光学像形成に利用される光束が透過されないので、循環する冷却媒体は、無色透明である必要はない。このため、循環する冷却媒体の選択範囲を広げることができ、安価な冷却媒体を用いて、光学装置４４の製造コストを低減させることができる。
【００６１】
液晶パネル保持枠６１の光束射出側に固定される冷却装置６２Ｂは、図６〜図８に示すように、光束入射側に固定される冷却装置６２Ａと同じ構成を備えるが、冷却装置６２Ａが入射側偏光板４４２を保持するのに対し、冷却装置６２Ｂは射出側偏光板４４３を保持する点で異なる。
また、図４および図５に示すように、冷却装置６２Ｂを構成する冷却媒体封入部６２１の射出側偏光板４４３が保持される開口部６２１Ａとは反対側の開口部６２１Ｂは、液晶パネル４４１の光束射出面に接触するように配置される。この冷却装置６２Ｂの冷却媒体封入部６２１内に密閉封入された冷却媒体は、液晶パネル４４１の光束射出面に直接接触し、液晶パネル４４１を冷却する。
【００６２】
このような冷却装置６２Ｂにより、前述の冷却装置６２Ａと同様の効果を奏することができる。すなわち、液晶パネル４４１の光束射出面および射出側偏光板４４３を、冷却室６２１１内の冷却媒体により直接冷却することができる。また、これら液晶パネル４４１および射出側偏光板４４３の冷却に供され、熱せられた冷却媒体は、同じく冷却室６２１１に配置された配管６２２内を流通する他の冷却媒体により冷却される。これにより、冷却室６２１１内の冷却媒体を低温に保つことができ、液晶パネル４４１の光束射出面および射出側偏光板４４３を効率良く冷却することができる。さらに、この配管６２２は、冷却媒体封入部６２１の光束透過領域を避けて配置されており、かつ、配管６２２によって、配管６２２内を流通する冷却媒体と、冷却室６２１１内の冷却媒体とが区画されているので、流通する冷却媒体が変色等しても、液晶パネル４４１によって形成された光学像が劣化することを防ぐことができる。
【００６３】
ここで、図３に示すように、液晶パネル保持枠６１の光束射出側の冷却装置６２Ｂの媒体流入部６２２１は、中継部材４５１の第１中継部４５１Ａに形成された冷却媒体供給部４５１Ａ２と接続され、媒体流出部６２２２は、液晶パネル保持枠６１の光束射出側の冷却装置６２Ａの媒体流入部６２２１に、流路接続部材としての媒体循環部材４４８により接続されている。また、冷却装置６２Ａの媒体流出部６２２２は、中継部材４５１の第２中継部４５１Ｂに形成された冷却媒体流入部４５１Ｂ２に媒体循環部材４４８を介して接続される。
【００６４】
すなわち、媒体圧送部４４６から圧送された冷却媒体は、中継部材４５１の第１中継部４５１Ａに供給された後、第１中継部４５１Ａの冷却媒体供給部４５１Ａ２から液晶パネル４４１の光束射出側に配置された冷却装置６２Ｂの媒体流入部６２２１に送出され、冷却装置６２Ｂの配管６２２内を流通する。この際、冷却室６２１１内に密閉封入された冷却媒体を冷却しつつ、媒体流出部６２２２から媒体循環部材４４８を介して、液晶パネル４４１の光束入射側に配置された冷却装置６２Ａの媒体流入部６２２１に送出される。この媒体流入部６２２１に送出された冷却媒体は、冷却装置６２Ａの配管６２２内を流通して、冷却室６２１１内の冷却媒体を冷却しつつ媒体流出部６２２２から排出される。この媒体流出部６２２２は、中継部材４５１の第２中継部４５１Ｂに形成された図示しない冷却媒体流入部４５１Ｂ２に接続されているので、冷却装置６２Ａの媒体流出部６２２２から排出された冷却媒体は、冷却媒体流入部４５１Ｂ２を介して第２中継部４５１Ｂに送出される。この第２中継部４５１Ｂに送出された冷却媒体は、前述のように、図示しない冷却媒体排出部から媒体循環部材４４８を介してラジエータ４４７に送出される。
【００６５】
このように、媒体圧送部４４６から圧送された冷却媒体は、中継部材４５１を介して、冷却装置６２Ｂに送出されるので、液晶パネル４４１および射出側偏光板４４３を効率良く冷却できる。ここで、入射側偏光板４４２および射出側偏光板４４３では、射出側偏光板４４３の方が高温化傾向が高い。このため、媒体圧送部４４６から圧送される冷却媒体を冷却装置６２Ｂに最初に供給することにより、これらを効果的に冷却することができる。また、これにより射出側偏光板４４３の熱劣化を抑えることができるので、安定した光学像の形成を実施することができる。
【００６６】
〔２．第２実施形態〕
次に、本発明の第２実施形態に係るプロジェクタの光学装置について説明する。第２実施形態の光学装置は、前述の第１実施形態の光学装置と略同じ構成を備えるが、光学装置本体の光学変換装置の構造において相違点を有する。なお、以下の説明では、既に説明した部分と同一または略同一である部分については、同一の符号を付して説明を省略する。
【００６７】
図９は、第２実施形態に係る光学装置本体４５Ａの斜視図である。
第２実施形態に係る光学装置４４の光学装置本体４５Ａは、前述の第１実施形態で示した光学装置本体４５が光学変換装置６を備えていたのに対し、光学変換装置７を備える点において相違点を有し、他の構造は、光学装置本体４５と略同じである。すなわち、光学装置本体４５Ａは、図９に示すように、クロスダイクロイックプリズム４４４と、このクロスダイクロイックプリズム４４４に載置される中継部材４５１と、３つの光学変換装置７（赤色光を光学変換する光学変換装置７Ｒ、緑色光を光学変換する光学変換装置７Ｇ、青色光を光学変換する光学変換装置７Ｂ）と、これら光学変換装置７をクロスダイクロイックプリズム４４４の各光束入射面に取り付ける光学変換装置保持体４５２と、クロスダイクロイックプリズム４４４が載置固定されるプリズム台座４５３とを備える。
【００６８】
図１０は、光学変換装置７の斜視図である。また、図１１は、光学変換装置７の分解斜視図である。
光学変換装置７は、図１０および図１１に示すように、液晶パネル４４１を保持する液晶パネル保持枠６１と、この液晶パネル保持枠６１の光束入射側および光束射出側に配置される冷却装置７２（７２Ａ，７２Ｂ）と、これら冷却装置７２（７２Ａ，７２Ｂ）を液晶パネル保持枠６１に固定する固定具６３とを備えている。また、液晶パネル保持枠６１の光束射出側に配置される冷却装置７２Ｂの後述する媒体流出部と、光束入射側に配置される冷却装置７２Ａの媒体流入部とは、流路接続部材としての媒体循環部材４４８により接続されている。
【００６９】
図１２は、冷却装置７２の斜視図である。図１３は、冷却装置７２の分解斜視図である。また、図１４は、冷却装置７２を構成する冷却媒体封入部７３の第１封入部材７３１の内部を示す斜視図である。
冷却装置７２Ａ，７２Ｂは、前述のように、それぞれ液晶パネル保持枠６１の光束入射側および光束射出側に固定具６３によって固定され、該液晶パネル保持枠６１内に収納された液晶パネル４４１をそれぞれ光束入射側および光束射出側から冷却する。また、冷却装置７２Ａ，７２Ｂは、それぞれ入射側偏光板４４２および射出側偏光板４４３を保持し、これらを冷却する。
これら冷却装置７２Ａ，７２Ｂは、図１２〜図１４に示すように、冷却媒体封入部７３を備えている。
【００７０】
冷却媒体封入部７３は、略矩形の容器状に形成され、内部に液晶パネル４４１および入射側偏光板４４２を冷却する冷却媒体が封入される。この冷却媒体封入部７３は、一方の面、すなわち、光束入射側の面が開口した第１封入部材７３１と、この第１封入部材７３１の開口を閉塞する第２封入部材７３２とを備えている。
第１封入部材７３１は、図１３および図１４に示すように、略矩形の箱状体であり、アルミニウム等の金属で形成されている。この第１封入部材７３１には、第２封入部材７３２に対向する面およびこの面とは反対側の面に、それぞれ開口部７３１１，７３１２が形成されている。
このうち、開口部７３１１には、第２封入部７３２が当接固定され、閉塞される。
また、開口部７３１２は、液晶パネル保持枠６１の開口部６１１から露出する液晶パネル４４１に対応した位置に形成されている。この開口部７３１２が形成された第１封入部材７３１外面における該開口部７３１２の周囲には、図示を省略するが、前述の冷却媒体封入部６２１の第１溝部６２１Ａ１と同様の溝部が形成されており、この溝部に弾性部材６２４が取り付けられる。この弾性部材６２４は、冷却装置７２Ａを液晶パネル保持枠６１に取り付ける際に、液晶パネル４４１の光束入射面に当接され、冷却装置７２Ｂを液晶パネル保持枠６１に取り付ける際に、液晶パネル４４１の光束射出面に当接される。
【００７１】
第１封入部材７３１内部には、波型の蛇行部７３１３Ａを有する隔壁７３１３が形成されている。この隔壁７３１３は、開口部７３１２の周囲を囲むように第１封入部材７３１に一体的に形成されている。この隔壁７３１３によって区画される第１封入部材７３１の２つの空間のうち、内側の空間は、液晶パネル４４１と、入射側偏光板４４２または射出側偏光板４４３とを冷却する冷却媒体が密閉封入される第１冷却室７３１Ａであり、外側の空間は、第１冷却室７３１Ａ内の冷却媒体を冷却するために、媒体圧送部４４６から圧送される冷却媒体が流通する第２冷却室７３１Ｂとして構成されている。
ここで、この隔壁７３１３を第１封入部材７３１に一体的に形成したことにより、第１冷却室７３１Ａおよび第２冷却室７３１Ｂを区画するのに新たな部材を設ける必要が無いので、冷却媒体封入部７３の構造を簡略化することができる。
【００７２】
また、隔壁７３１３に形成され、内側および外側に向かって突出する蛇行部７３１３Ａは、第１冷却室７３１Ａ内に封入される冷却媒体および第２冷却室７３１Ｂ内を流通する冷却媒体と、隔壁７３１３との接触面積を拡大するためのものである。これにより、第１冷却室７３１Ａ内の冷却媒体の熱が隔壁７３１３に伝導されやすくすることができ、また、第２冷却室７３１Ｂ内を流通する冷却媒体によって、隔壁７３１３を冷却しやすくすることができる。従って、蛇行部７３１３Ａが形成されていることにより、冷却媒体との接触面積を拡大して、第１冷却室７３１Ａ内の冷却媒体の冷却効率を向上することができる。これにより、第１冷却室７３１Ａ内の冷却媒体による液晶パネル４４１と、入射側偏光板４４２または射出側偏光板４４３との冷却効率を向上することができる。
【００７３】
第１封入部材７３１の第２封入部材７３２と対向する面の四隅には、それぞれねじ孔７３１４が形成されている。これら４つのねじ孔７３１４には、第２封入部材７３２が介装された状態で、ねじ７４が螺合する。
また、第１封入部材７３１の上面および下面には、第２冷却室７３１Ｂに冷却媒体を流通させる媒体流通部７３１５および媒体流通口７３１６が形成されている。このうち、媒体流通口７３１６には、媒体循環部材４４８が取り付けられ、冷却装置７２Ａ，７２Ｂの媒体流通口７３１６間が接続される。
【００７４】
第２封入部材７３２は、図１２および図１３に示すように、第１封入部材７３１の外形形状に合わせて略矩形に形成され、第１封入部材７３１の開口部７３１１を閉塞する板状部材である。なお、この第２封入部材７３２の第１封入部材７３１に対向する面には、図示を省略するが、第１封入部材７３１の開口部７３１１の形状に合わせた段差が形成されており、この段差が開口部７３１１に嵌合される。なお、この嵌合部分は、パッキン等の封止部材を介して嵌合されている。また、第２封入部材７３２と、第１封入部材７３１に形成された隔壁７３１３の第２封入部材７３２に対向する面との間にも、パッキン等の封止部材が介装されており、隔壁７３１３によって区画される第１冷却室７３１Ａ内の冷却媒体が、第２冷却室７３１Ｂに漏出しないようにされている。
この第２封入部材７３２の略中央には、第１封入部材７３１に形成された開口部７３１２に対応する位置に開口部７３２Ａが形成されている。この開口部７３２Ａの第１封入部材７３１とは反対側の面の周囲には、前述の冷却媒体封入部６２１の開口部６２１Ａの周囲に形成された第１溝部６２１Ａ１および第２溝部６２１Ａ２と同様の第１溝部７３２Ａ１および第２溝部７３２Ａ２が形成されている。このうち、第１溝部７３２Ａ１には、弾性部材６２４が取り付けられ、この弾性部材６２４に当接するように、第２溝部７３２Ａ２に、冷却装置７２Ａでは入射側偏光板４４２が、また冷却装置７２Ｂでは射出側偏光板４４３が取り付けられる。
【００７５】
これら第１溝部７３２Ａ１および第２溝部７３２Ａ２が形成された面の四隅には、前述のねじ７４が挿通される孔７３２１が形成されている。このため、第１封入部材７３１に第２封入部材７３２が当接された状態で、これら孔７３２１を介してねじ７４が第１封入部材７３１に形成されたねじ孔７３１４に螺合することにより、第１封入部材７３１と第２封入部材７３２とを固定することができる。
また、第１溝部７３２Ａ１および第２溝部７３２Ａ２が形成された第２封入部材７３２の面には、対角線上に２つの孔７３２２が形成されている。これら孔７３２２は、第１封入部材７３１に形成された第１冷却室７３１Ａと連通し、該第１冷却室７３１Ａ内に冷却媒体を供給するための孔である。従って、冷却装置７２を液晶パネル保持枠６１に固定した後、これら孔７３２２を介して冷却媒体を供給することにより、第１冷却室７３１Ａ内が冷却媒体で充填され、この冷却媒体が、冷却装置７２Ａでは液晶パネル４４１の光束入射面および入射側偏光板４４２に接触し、冷却装置７２Ｂでは液晶パネル４４１の光束射出面および射出側偏光板４４３に接触する。
なお、これら孔７３２２には、冷却媒体の供給後にキャップ７５が取り付けられ、第１冷却室７３１Ａに密閉封入された冷却媒体が漏出するのを防いでいる。
【００７６】
冷却装置７２Ｂの媒体流通部７３１５は、図９に示すように、媒体圧送部４４６と接続された中継部材４５１の第１中継部４５１Ａに形成された冷却媒体供給部４５１Ａ２に接続されている。また、冷却装置７２Ｂの媒体流通口７３１６は、図１０および図１１に示すように、冷却装置７２Ａの媒体流通口７３１６に媒体循環部材４４８を介して接続されている。さらに、冷却装置７２Ａの媒体流通部７３１５は、図９に示すように、中継部材４５１の第２中継部４５１Ｂに形成された冷却媒体流入部４５１Ｂ２と接続されている。
【００７７】
これにより、媒体圧送部４４６から圧送された冷却媒体は、中継部材４５１の第１中継部４５１Ａを介して液晶パネル保持枠６１の光束射出側に固定された冷却装置７２Ｂの媒体流通部７３１５を介して第２冷却室７３１Ｂ内を流通して、媒体流通口７３１６に達する。この際、第１封入部材７３１に形成された隔壁７３１３には、液晶パネル４４１の光束射出面および射出側偏光板４４３を冷却した第１冷却室７３１Ａ内の冷却媒体の熱が伝導されているので、隔壁７３１３に沿って第２冷却室７３１Ｂ内を流通する冷却媒体は、隔壁７３１３に伝導された熱を冷却することにより、第１冷却室７３１Ａ内の冷却媒体を冷却する。
【００７８】
冷却装置７２Ｂの媒体流通口７３１６に達した冷却媒体は、媒体循環部材４４８を介して、液晶パネル保持枠６１の光束入射側に固定された冷却装置７２Ａの媒体流通口７３１６に送出される。冷却装置７２Ａの媒体流通口７３１６に送出された冷却媒体は、冷却装置７２Ｂの場合とは逆向きに、隔壁７３１３に沿って第２冷却室７３１Ｂ内を流通して、液晶パネル４４１の光束入射面および入射側偏光板４４２を冷却して熱せられた第１冷却室７３１Ａ内の冷却媒体を冷却しつつ媒体流通部７３１５に向かって流通する。この媒体流通部７３１５に達した冷却媒体は、中継部材４５１の第２中継部４５１Ｂを介してラジエータ４４７に向かって流通する。
【００７９】
これにより、前述の光学変換装置６の場合と同様に、液晶パネル保持枠６１の光束射出側に固定された冷却装置７２Ｂにはじめに冷却媒体が供給されるので、高温化傾向の高い液晶パネル４４１の光束射出面および射出側偏光板４４３を効果的に冷却することができる。従って、光学像形成を安定化することができるほか、これらの製品寿命を延ばすことができる。また、光学変換装置７における冷却媒体の流通経路を統一することができるので、光学装置４４の構成を簡素化することができる。
【００８０】
このような冷却装置７２Ａ，７２Ｂによれば、前述の冷却装置６２Ａ，６２Ｂと略同じ効果を奏することができる。
すなわち、第１冷却室７３１Ａ内に密閉封入された冷却媒体は、液晶パネル４４１と、入射側偏光板４４２または射出側偏光板４４３を冷却する。この際、これら光学部品４４１，４４２，４４３の冷却に供されて熱せられた冷却媒体は、第２冷却室７３１Ｂ内を流通する冷却媒体によって隔壁７３１３を介して冷却される。これによれば、第１冷却室７３１Ａ内の冷却媒体を低温に保つことができるので、これら液晶パネル４４１、入射側偏光板４４２および射出側偏光板４４３を効率良く冷却することができる。
【００８１】
また、隔壁７３１３は、開口部７３１１を囲むように形成されているので、冷却媒体封入部７３の光束透過領域内に、第２冷却室７３１Ｂ内を流通する冷却媒体が流入することがない。これによれば、光学装置４４を流通する冷却媒体が劣化等により変色した場合、および、不純物等が混入した場合であっても、光学像の形成に利用される光束に影響しない。従って、冷却媒体の循環によって劣化した場合に、光学像が劣化することを防ぐことができる。
【００８２】
〔３．実施形態の変形〕
本発明は前述の実施形態に限定されるものではなく、本発明の目的を達成できる範囲での変形、改良等は本発明に含まれるものである。
前記第２実施形態では、第１封入部材７３１に形成された隔壁７３１３は、波型の蛇行部７３１３Ａを有するとしたが、本発明はこれに限らず、他の形状であってもよい。すなわち、第１冷却室７３１Ａおよび第２冷却室７３１Ｂ内の冷却媒体と、隔壁７３１３との接触面積が拡大するような形状であればよい。また、このような蛇行部が形成されていない構成としてもよく、一部に蛇行部が形成された構成としてもよい。
【００８３】
図１５は、第１封入部材７３１の変形である第１封入部材７３３を示す斜視図である。
第１封入部材７３３は、前述の第１封入部材７３１と同様に、第２封入部材７３２と組み合わされて冷却媒体封入部７３を構成するものである。この第１封入部材７３３は、第１封入部材７３１と同様に、開口部７３１１，７３１２、隔壁７３１３、孔７３１４、媒体流通部７３１５および媒体流通口７３１６を備えている。また、隔壁７３１３によって区画される空間のうち、内側の空間は、第１冷却室７３１Ａであり、外側の空間は第２冷却室７３１Ｂとして構成されている。
【００８４】
第１封入部材７３３に形成された隔壁７３１３には、第１封入部材７３１とは異なり、第１冷却室７３１Ａおよび第２冷却室７３１Ｂに向かって突出する凹凸型の蛇行部７３１３Ｂが形成されている。この蛇行部７３１３Ｂは、波型形状に形成された隔壁７３１３の蛇行部７３１３Ａと同様に、第１冷却室７３１Ａ内に密閉封入された冷却媒体および第２冷却室７３１Ｂ内を流通する冷却媒体と、隔壁７３１３との接触面積を拡大するためのものである。これによれば、蛇行部７３１３Ａと同様に、これら冷却媒体との接触面積が拡大するので、第１冷却室７３１Ａ内の冷却媒体から隔壁７３１３への熱伝導効率を向上でき、また、隔壁７３１３に伝導された熱を、第２冷却室７３１Ｂ内を流通する冷却媒体により冷却しやすくすることができる。従って、第１冷却室７３１Ａ内の冷却媒体を、第２冷却室７３１Ｂ内を流通する冷却媒体で効率良く冷却することができ、ひいては、液晶パネル４４１、入射側偏光板４４２および射出側偏光板４４３を効果的に冷却することができる。
【００８５】
前記第１実施形態では、配管６２２は、略Ｕ字状に形成されるとしたが、本発明はこれに限らず、冷却媒体封入部内を透過する光束透過領域を避けて配管が設けられる構造であれば、配管の形状は問わない。
【００８６】
図１６は、第１封入部材７３１の変形である第１封入部材７３４の内部を示す正面図である。
第１封入部材７３４には、開口部７３１１，７３１２が形成されており、開口部７３１１を塞ぐように第２封入部材７３２が取り付けられることによって、冷却媒体封入部が形成され、内部に冷却媒体が密閉封入される第１冷却室７３４Ａが形成される。
この第１封入部材７３４には、開口部７３１２の周囲をおよそ１周半囲むように銅製の配管７３４１がとぐろ状に配置されている。この配管７３４１の一方の端部には、外部から冷却媒体を配管７３４１内に流入させる媒体流入部７３４２が形成され、他方の端部には、該配管７３４１内を流通した冷却媒体を外部に送出する媒体流出部７３４３が形成されている。これら媒体流入部７３４２および媒体流出部７３４３は、第２封入部材７３１２に形成された図示しない開口部に連通している。すなわち、配管７３４１内は、冷却媒体が流通する第２冷却室７３４Ｂとされている。
なお、配管７３４１の開口部７３１２を囲む回数は適宜決めてよい。
【００８７】
このような構成の第１封入部材７３４では、液晶パネル４４１、入射側偏光板４４２および射出側偏光板４４３を冷却する第１冷却室７４３Ａ内の冷却媒体は、第２冷却室７３４Ｂ内、すなわち配管７３４１内を流通する冷却媒体によって冷却される。ここで、配管７３４１は、光束が透過する開口部７３１２の周囲を囲むようにとぐろ状に配置されているので、第２冷却室７３４Ｂ内を流通する冷却媒体が光束透過領域に流入しない。これにより、第２冷却室７３４Ｂ内を流通する冷却媒体が劣化しても、光学像に影響を与えることを防ぐことができる。また、第２冷却室７３４Ｂを形成する配管７３４１はとぐろ状に配置されているので、配管７３４１と、第１冷却室の冷却媒体との接触面積を飛躍的に拡大することができる。従って、第１冷却室７３４Ａ内の冷却媒体を、配管７３４１内を流通する冷却媒体で冷却しやすくすることができ、第１冷却室７３４Ａ内の冷却媒体の冷却効率を向上して、液晶パネル４４１、入射側偏光板４４２および射出側偏光板４４３を効率良く冷却することができる。
【００８８】
前記各実施形態では、冷却媒体封入部６２１，７３を備える冷却装置６２，７２は、液晶パネル保持枠６１の光束入射側および光束射出側にそれぞれ固定されるとしたが、光束入射側および光束射出側のいずれか一方に設けられている構成でもよい。なお、液晶パネル保持枠６１の光束入射側および光束射出側に冷却装置６２，７２をそれぞれ設ける構成とすれば、液晶パネル４４１を一層効果的に冷却することができる。
【００８９】
前記各実施形態では、中継部材４５１の第１中継部４５１Ａに形成された冷却媒体供給部４５１Ａ２は、液晶パネル保持枠６１の光束射出側に配置固定された冷却装置６２Ｂ，７２Ｂの媒体流入部６２２１および媒体流通部７３１５に接続されるとしたが、光束入射側に配置固定された冷却装置６２Ａ，７２Ａに接続するようにしてもよい。なお、液晶パネル４４１の光束射出側は、光束入射側に比べて高温化傾向が高く、また、入射側偏光板４４２より射出側偏光板４４３の方が高温になりやすい。このため、光束射出側に設けられた冷却装置６２Ｂ，７２Ｂに冷却媒体をはじめに送出することにより、より温度の低い冷却媒体を液晶パネル４４１の光束射出面および射出側偏光板４４３の冷却に供することができる。従って、液晶パネル４４１の光束射出面および射出側偏光板４４３の冷却を一層効率良く行うことができ、光学像形成を安定化させることができる。
【００９０】
前記各実施形態では、配管６２２，７３４１は、銅およびアルミニウム等の金属製としたが、テフロン（登録商標）等の可撓性材料によって構成してもよい。この場合、可撓性材料によって構成され、冷却媒体が流通する配管を、第１冷却室を構成する冷却媒体封入部の少なくとも一部に巻き付けることによって、配管を第１冷却室に熱伝導可能に接触させ、第１冷却室内の冷却媒体を、配管内を流通する冷却媒体により冷却する構成としてもよい。この場合、冷却媒体封入部の内部構造を簡素化することができるとともに、光学装置４４の組み立て後に、配管を取り付けることができるので、光学装置４４の製造工程を簡素化することができる。
【００９１】
前記各実施形態では、冷却装置６２，７２は、液晶パネル保持枠６１に固定具６３によって固定されるとしたが、熱伝導性接着剤等により固定してもよい。なお、液晶パネル保持枠６１に係合する固定具６３により固定する構成とすれば、前述のように、該液晶パネル保持枠６１に冷却装置６２，７２を簡単に固定することができる。
【００９２】
前記各実施形態では、冷却装置６２，７２は、液晶パネル４４１を冷却するとともに、それぞれの冷却装置６２，７２に保持される入射側偏光板４４２および射出側偏光板４４３を冷却するとしたが、少なくとも液晶パネル４４１を冷却するのであれば、必ずしもこれら入射側偏光板４４２および射出側偏光板４４３を保持・冷却する必要はない。なお、液晶パネル４４１とともに、これら入射側偏光板４４２および射出側偏光板４４３を同時に冷却する構成とすれば、液晶パネル４４１とともに高温化が著しい入射側偏光板４４２および射出側偏光板４４３を冷却して安定した光学像の形成を実現できるほか、熱劣化を抑え、製品寿命を延ばすことができる。また、新たに入射側偏光板４４２および射出側偏光板４４３を冷却する冷却構造を設ける必要がないので、光学装置４４の構造を簡素化することができる。
【００９３】
前記各実施形態では、光学ユニット４が平面視略Ｌ字形状を有した構成を説明したが、これに限らず、例えば、平面視略Ｕ字形状を有した構成を採用してもよい。
前記各実施形態では、３つの液晶パネル４４１を用いたプロジェクタ１の例のみを挙げたが、本発明は、１つの液晶パネルのみを用いたプロジェクタ、２つの液晶パネルのみを用いたプロジェクタ、あるいは、４つ以上の液晶パネルを用いたプロジェクタにも適用可能である。
前記各実施形態では、光入射面と光射出面とが異なる透過型の液晶パネルを用いていたが、光入射面と光射出面とが同一となる反射型の液晶パネルを用いてもよい。この場合においても、冷却装置６２，７２を液晶パネルの少なくとも一方の面に取り付けることにより、前述の効果を奏することができる。
前記各実施形態では、光変調素子として液晶パネルを用いていたが、マイクロミラーを用いたデバイスなど、液晶以外の光変調素子を用いてもよい。この場合は、光束入射側および光束射出側の偏光板は省略できる。
前記各実施形態では、スクリーンを観察する方向から投射を行なうフロントタイプのプロジェクタの例のみを挙げたが、本発明は、スクリーンを観察する方向とは反対側から投射を行なうリアタイプのプロジェクタにも適用可能である。
【００９４】
本発明を実施するための最良の構成などは、以上の記載で開示されているが、本発明はこれに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【００９５】
本発明は、プロジェクタに利用できる。
【図面の簡単な説明】
【００９６】
【図１】本発明の第１実施形態に係るプロジェクタの概略構成を示す模式図。
【図２】前記実施形態における光学装置を下方から見た斜視図。
【図３】前記実施形態における光学装置本体を上方から見た斜視図。
【図４】前記実施形態における光学変換装置を上方から見た斜視図。
【図５】前記実施形態における光学変換装置を示す分解斜視図。
【図６】前記実施形態における冷却装置を上方から見た斜視図。
【図７】前記実施形態における冷却装置を示す分解斜視図。
【図８】前記実施形態における冷却装置を示す断面図。
【図９】本発明の第２実施形態に係る光学装置本体を上方から見た斜視図。
【図１０】前記実施形態における光学変換装置を示す斜視図。
【図１１】前記実施形態における光学変換装置を示す分解斜視図。
【図１２】前記実施形態における冷却装置を上方から見た斜視図。
【図１３】前記実施形態における冷却装置を示す分解斜視図。
【図１４】前記実施形態における第１封入部材の内部構成を示す斜視図。
【図１５】前記実施形態の第１封入部材の変形を示す斜視図。
【図１６】前記実施形態の第１封入部材の変形を示す正面図。
【符号の説明】
【００９７】
１…プロジェクタ、４１１…光源装置（光源）、４４…光学装置、４４１…液晶パネル（光変調素子、光変調装置）、４４８…媒体循環部材（流路接続部材）、６１…液晶パネル保持枠（保持枠）、６１１…開口部（開口）、６１３Ａ，６１３Ｂ…係合突起（突起）、６２１，７３…冷却媒体封入部、６２１Ａ，６２１Ｂ…開口部（開口）、６２１１…冷却室（第１冷却室）、６２２…管状部材、６２２Ａ…空間（第２冷却室）、６３…固定具、７３１Ａ…第１冷却室、７３１Ｂ…第２冷却室、７３１３…隔壁、７３１３Ａ，７３１３Ｂ…蛇行部。
【図１】
2005284138.tif 000003
【図２】
2005284138.tif 000004
【図３】
2005284138.tif 000005
【図４】
2005284138.tif 000006
【図５】
2005284138.tif 000007
【図６】
2005284138.tif 000008
【図７】
2005284138.tif 000009
【図８】
2005284138.tif 000010
【図９】
2005284138.tif 000011
【図１０】
2005284138.tif 000012
【図１１】
2005284138.tif 000013
【図１２】
2005284138.tif 000014
【図１３】
2005284138.tif 000015
【図１４】
2005284138.tif 000016
【図１５】
2005284138.tif 000017
【図１６】
2005284138.tif 000018